(57)【要約】【課題】包装硬貨を補充する際に、包装硬貨処理装置に包装硬貨の収納本数を計数する計数処理を実行させた上で、包装硬貨処理装置の取扱を再開させるが、補充完了後の計数処理の実行を忘れる惧れがあった。補充完了後の計数処理が実行されなかった場合、包装硬貨処理装置の正確な現金管理ができなくなる等の様々な問題が生じていた。【解決手段】ワゴン部２２に抜取可能に装着された複数の金種別トレー２５から包装硬貨３０を取出して放出する自動両替装置１であって、金種別トレー２５に収納されている包装硬貨３０の数量を計数する包装硬貨検知センサ４１と、金種別トレー２５の装着を検知するトレー装着検知センサ兼包装硬貨本数計数センサ４２とを備え、包装硬貨検知センサ４１を、トレー装着検知センサ兼包装硬貨本数計数センサ４２による装着検知に基づいて作動させることとした。【選択図】図１１
2008192098.tif 000002
【特許請求の範囲】
【請求項１】
トレー装着部に抜取可能に装着された複数の金種別収納トレーから貨幣を取出して放出する貨幣放出装置であって、
前記金種別収納トレーに収納されている前記貨幣の数量を計数する貨幣計数手段と、
前記金種別収納トレーに対する所定の操作を検知する検知手段とを備え、
前記貨幣計数手段を、前記検知手段による検知に基づいて作動させることを特徴とする
貨幣放出装置。
【請求項２】
前記貨幣計数手段を、
貨幣を計数する貨幣計数部と、該貨幣計数部の計数結果を受取る計数結果受取部とで構成し、
各金種別収納トレーに、前記貨幣計数部を備え、
装着状態の前記金種別収納トレーの前記貨幣計数部に対応する前記トレー装着部の対応箇所に、計数結果受取部を備えた
請求項１に記載の貨幣放出装置。
【請求項３】
前記貨幣を、包装硬貨で構成し、
前記貨幣計数手段を、
包装硬貨の収納方向に沿って前記金種別収納トレーに配設した複数の包装硬貨検出手段で構成した
請求項１又は２に記載の貨幣放出装置。
【請求項４】
前記検知手段を、
前記所定の操作として、前記金種別収納トレーの脱着、又は前記金種別収納トレーへの前記包装硬貨の収納を検知する構成とした
請求項１、２或いは３に記載の貨幣放出装置。
【請求項５】
前金種別収納トレーの脱着の際に開閉する扉を備え、
前記検知手段を、
前記所定の操作として、前記扉の閉鎖を検知する構成とした
請求項１、２或いは３に記載の貨幣放出装置。
【請求項６】
前記扉を、
前記金種別収納トレーの脱着を抑止するトレー脱着抑止扉、或いは装置の内部と外部とを遮断する遮断扉で構成した
請求項５に記載の貨幣放出装置。
【請求項７】
前記貨幣計数手段による計数結果を表示する表示手段を備え、
前記計数結果を、
前記金種別収納トレーに収納された貨幣の各トレー或いは全トレーの収納量の合計、或いは増減量の少なくとも一つであることを特徴とする
請求項１〜６のうちいずれかに記載の貨幣放出装置。
【発明の詳細な説明】
【技術分野】
【０００１】
本発明は、例えば金融機関等の両替機に内蔵される貨幣放出装置に関し、さらには包装硬貨等の貨幣を金種別に収納する各トレーの配置、および収納された貨幣の金種および収納数量を管理して放出することができる貨幣放出装置に関する。
【背景技術】
【０００２】
以下において、貨幣放出装置の１種類であり、取扱い貨幣として金種別に取扱われる包装硬貨を放出する包装硬貨処理装置を例にとって説明を行なう。包装硬貨処理装置は金融機関等の両替機の内部に設けられている。この包装硬貨処理装置には、同金種の複数本の包装硬貨を収納する金種別収納トレーが上下に複数段設けられている。また、この包装硬貨処理装置には、該金種別収納トレーから一本ずつ取出した包装硬貨を収納し、この包装硬貨を昇降動作によって取出口まで搬送するバケットが設けられている。
【０００３】
また、包装硬貨処理装置は、装置内部に収納した包装硬貨の現金管理を行なうため、各金種別トレー内に収納する包装硬貨の収納量を検知し、現金管理する管理手段を備えている。
【０００４】
このような包装硬貨処理装置として、例えば、各トレー内に収納された包装硬貨の残量を検知する残量検知手段を備えたものが提案されている（特許文献１参照）。  
この包装硬貨処理装置の残量検知手段は、トレー底部に設けたセンサ穴と、センサ穴を透過する光の有無を検出する透過型センサと、貨幣の配列方向に透過型センサを移動させる移動機構とで構成されている。この包装硬貨処理装置は、貨幣によって覆われたセンサ穴を、移動機構で移動する透過型センサで検知して、トレーに収納した包装硬貨の残量を検知するものである。
【０００５】
また、例えば、トレーに収納した包装硬貨の金種及び残量を検知する検知手段を備えた包装硬貨処理装置が提案されている（特許文献２参照）。  
この包装硬貨処理装置の検知手段は、包装硬貨の収納方向に沿って、トレー両側面に備えられたスリットと、スリットを通過して反射する反射光のＯＮ／ＯＦＦの変化状態にて包装硬貨の残量及び金種を検知する包装硬貨検知センサとで構成されている。この包装硬貨処理装置は、包装硬貨検知センサがスリットに沿って移動して当該トレーに収納された包装硬貨の残量、及び金種を検知するものである。
【０００６】
【特許文献１】特開２００４−３１８６０２号公報
【特許文献２】特開平７−２４９１３９号公報
【発明の開示】
【発明が解決しようとする課題】
【０００７】
前記従来例によれば、包装硬貨検知手段によって、装置内部に収納した包装硬貨処理装置の残量、金種などを検知して、収納した包装硬貨の残量管理を行なうことができる。したがって、収納した包装硬貨の残量が少なくなったことを検知でき、収納した包装硬貨が無くなる前に、前以って包装硬貨を補充することができる。
【０００８】
通常、包装硬貨を補充する時は、稼動中の包装硬貨処理装置を一旦休止させて、保守員がトレーを抜取り、包装硬貨をトレーに補充し、補充済のトレーを装填する。そして、保守員は、包装硬貨処理装置に包装硬貨の収納本数を計数する計数処理を実行させた上で、包装硬貨処理装置の取扱を再開させる。
【０００９】
実際の運用においては、包装硬貨処理装置を利用する利用客が行列を成して次々に利用している場合が多い。このため、保守員は補充作業を急いで行うことが多く、補充完了後の計数処理の実行を忘れる惧れがあった。補充完了後の計数処理が実行されなかった場合、包装硬貨処理装置の正確な現金管理ができなくなる等の様々な問題が生じていた。
【００１０】
さらに、包装硬貨処理装置を休止させずに稼動させたまま、保守員が包装硬貨を補充作業することがある。この場合、後から補充された包装硬貨の計数処理を実行するが、このように包装硬貨処理装置を稼動したまま補充しているため、リアルタイムの正確な現金管理ができない等の問題が生じていた。  
本発明は装置内部の貨幣の自動的な現金管理を可能とし、利用者の利便性を向上させる包装硬貨処理装置を提供することを目的としている。
【課題を解決するための手段】
【００１１】
本発明は、トレー装着部に抜取可能に装着された複数の金種別収納トレーから貨幣を取出して放出する貨幣放出装置であって、前記金種別収納トレーに収納されている前記貨幣の数量を計数する貨幣計数手段と、前記金種別収納トレーに対する所定の操作を検知する検知手段とを備え、前記貨幣計数手段を、前記検知手段による検知に基づいて作動させることを特徴とする。
【発明の効果】
【００１２】
本発明によれば、装置を稼動させたままの状態で装置内部の貨幣を計数管理することができる。
【発明を実施するための最良の形態】
【００１３】
この発明の一実施例を以下図面に基づいて詳述する。  
紙幣、貨幣のうち特に包装硬貨、及びバラ硬貨を取り扱う自動両替装置１の斜視図を示す図１と、自動両替装置１の背面図を示す図２と、自動両替装置１のブロック図を示す図３とともに貨幣放出装置である自動両替装置１について説明する。
【００１４】
図１に示すように、自動両替装置１前面には、操作部と表示部とを兼ねるタッチパネル２と、利用者による紙幣の投入及び取出を許容する紙幣入出金口３、両替されたバラ硬貨を利用者によって取出させる硬貨取出口４、両替された包装硬貨３０を利用者によって取出させる包装硬貨取出口５、利用者によって両替時にカードが挿入されるカード挿入口６、両替取引の内容等が印字された取引明細票を放出する取引明細票取出口７、自動両替装置１の取扱中であるか否かの状態を表示する取扱状態表示部８が備えられている。なお、利用者は上記タッチパネル２を操作して両替する金種や金額を指定することができる。
【００１５】
図２に示すように、自動両替装置１内部には、紙幣の取込み、鑑別、収納、並びに放出等を行う紙幣処理部１１、包装硬貨の鑑別、並びに放出等を行う包装硬貨処理部１２、バラ硬貨の鑑別、並びに放出等を行う硬貨処理部１３、保守員等によって操作される保守員パネル部１４を備え、自動両替装置１背面に保守員等が開ける装置後扉１８を備えている。なお、包装硬貨処理部１２の背面にも遮断扉である内扉を設け、当該内扉を開けて包装硬貨の装填または補充等の操作を行う構成としてもよい。
【００１６】
図３に示すように、取引明細票取出口７から放出する取引等の取引明細票を発行する帳票処理部１６、上記タッチパネル２、カード処理部１５、紙幣処理部１１、包装硬貨処理部１２、硬貨処理部１３、並びに、表示手段である保守員パネル部１４は、それらを制御し、両替処理や保守員処理などを実行する主制御部１７に接続されている。
【００１７】
詳述すると、主制御部１７は、タッチパネル２及び保守員パネル部１４への案内表示や入力受付の指令、カード処理部１５へカードの受付、読込み、返却等の指令、紙幣処理部１１への入金、出金等の指令、包装硬貨処理部１２及び硬貨処理部１３への出金等の指令、帳票処理部１６への取引明細票の印刷等の指令など、各部へ指令を行い、その処理結果を確認及び判断して、両替処理及び保守員処理等を実行する。
【００１８】
上記構成を有する自動両替装置１は、トレー脱着の際に開閉する扉に対応する装置後扉１８を開けた保守員によって、紙幣処理部１１、包装硬貨処理部１２、硬貨処理部１３のそれぞれに両替用の紙幣、包装硬貨、硬貨が装填され、保守員パネル部１４によって入力された装填数量を受け付けた上で、保守員パネル部１４から取扱中の入力を受け付ける。これにより、自動両替装置１は稼動状態となり、取扱状態表示部８及びタッチパネル２の表示を取扱中止から取扱中に変更する。
【００１９】
このような稼動状態の自動両替装置１は、利用客によってカード挿入口６からカードが挿入されるか、タッチパネル２の取引開始を示すキーを押下されることにより自動両替装置１の両替処理を開始する。自動両替装置１は、紙幣入出金口３を開き、両替の元金となる紙幣（以下において「両替元金」という）が紙幣入出金口３に挿入されると、紙幣処理部１１によって、当該両替元金を取込み、鑑別、並びに計数する。
【００２０】
当該両替元金を鑑別、計数した自動両替装置１は、鑑別、計数結果に従ってタッチパネル２に両替可能な金種と数量を表示し、タッチパネル２を操作した利用客から希望する両替金種及び数量の指定を受け付ける。
【００２１】
両替金種及び数量の指定を受け付けた自動両替装置１は、指定された両替金種及び数量に従い、紙幣処理部１１、包装硬貨処理部１２、硬貨処理部１３から両替金を取出し、両替金の鑑別を行い、紙幣入出金口３、硬貨取出口４、包装硬貨取出口５から両替金を放出する。また、自動両替装置１は、取引明細票取出口７より、本両替処理における取引明細を示す取引明細票を放出する。
【００２２】
図４、図５は包装硬貨処理部の斜視図である。図３の包装硬貨処理部のブロック図と図４、図５の斜視図を用いて、包装硬貨処理部に関して詳細に説明を行う。  
包装硬貨処理部１２は、互いに分離し、結合可能に構成されたフィーダ部２１と、トレー装着部に対応するワゴン部２２とで構成される。
【００２３】
フィーダ部２１は、金種別収納トレーである金種別トレー２５から包装硬貨３０を１本ずつ取り出して金種等を鑑別した上で収納する昇降式のバケット２３、及びバケット２３に集積した包装硬貨３０の利用者による取出しを許容する包装硬貨取出口２４を備えている。包装硬貨取出口２４は自動両替装置１の前面に備えた包装硬貨取出口５と連通している。
【００２４】
バケット２３は、上面を開口した箱を２つ横並びにした形状であり、左右１つずつ計２つの収納部を有している。各収納部の金種別トレー２５側には、図８に示すように、金種別トレー２５から最前の包装硬貨３０を取出す可動式の取出爪２３ａが設けられている。したがって、所定の金種別トレー２５から包装硬貨３０を複数取出す場合、包装硬貨３０の取出し回数に応じて取出爪２３ａを回動させ、金種別トレー２５に整列収納されている包装硬貨３０を１つずつ必要数だけ金種別トレー２５から取出す。  
なお、昇降式のバケット２３は包装硬貨部の制御を行う制御部（ＣＰＵ）２７（図３）と接続され、制御部２７は主制御部１７に接続されている。
【００２５】
制御部２７は、主制御部１７から包装硬貨の放出指令を受信すると、ＲＡＭ２９に記憶しておいた金種別トレー２５のトレー毎の収納本数を元に、包装硬貨３０を取出す金種別トレー２５と本数を決定し、ＲＡＭ２９に記憶する。そして、バケット２３を下から上に移動させ、包装硬貨３０を取出す金種別トレー２５の対向位置で停止させ、所定本数分の包装硬貨３０を取出してバケット２３に集積する。この集積動作を下方の金種別トレー２５から上方の金種別トレー２５まで順に実行し、両替要求分の包装硬貨３０がすべてバケット２３に揃えば、バケット２３を包装硬貨取出口２４まで移動させる。
【００２６】
ワゴン部２２は、複数の金種別トレー２５、検知手段に対応するトレー装着検知センサ兼包装硬貨本数計数センサ４２（以下において「センサ４２」という）、並びに、さらに各トレー内部に収納された包装硬貨の有無を検知する包装硬貨検知センサ４１を備えている。  
金種別トレー２５は、同一金種を奥行き方向に並列させて多数収納する長尺形状に形成されている。
【００２７】
金種別トレー２５は左右二列で上下方向に複数段配設され、それぞれは包装硬貨３０を取り出す先端部分が下向きとなるように前傾姿勢でワゴン部２２に抜取可能に装着されている。  
また、図５で示すように、ワゴン部２２に、包装硬貨３０をトレーに装填するための出し入れ部にトレー脱着扉に対応する開閉扉５０を設け、後方からのトレーの脱着を抑止する機構を有する装置も存在する。
【００２８】
次に、包装硬貨を収納する包装硬貨処理部（トレー部）の内部構成について図６〜８を用いて説明する。  
図６は包装硬貨処理部（トレー部）の斜視図であり、図７は包装硬貨処理部（トレー部）及び包装硬貨検知センサの構成図である。
【００２９】
各金種別トレー２５は包装硬貨３０を各金種別に収納する構成になっており、金種別トレー２５の側面には収納された包装硬貨３０の本数を認識するための包装硬貨検知センサ４１が備えられている。
【００３０】
詳述すると、貨幣計数手段及び包装硬貨検出装置である包装硬貨検知センサ４１は、本数検知センサ４１ａと、該本数検知センサ４１ａを金種別トレー２５の長手方向に複数配列した基板４１ｃで構成され、図７（ａ）で示すように、トレー部の片側面に基板４１ｃが固定されている。また、図７（ｂ）で示すように、基板４１ｃに配列された本数検知センサ４１ａは、金種別トレー２５に収納する包装硬貨３０の直径に基づく間隔を隔てて包装硬貨３０の整列方向に整列配置されている。この実施例では、包装硬貨３０の直径と略同一の間隔を隔てて配置されている。各本数検知センサ４１ａは投光センサ４１ｄ、及び受光センサ４１ｅによって構成されている。このような構成の本数検知センサ４１ａは、上記投光センサ４１ｄを光源として、トレー側面から照射した照射光がトレー内部に装填された包装硬貨３０の表面で反射した反射光の有無を受光センサ４１ｅで検知する構成となっている。したがって、包装硬貨検知センサ４１は、各本数検知センサ４１ａに対応する包装硬貨３０の有無を集計することによって金種別トレー２５に収納された包装硬貨３０の本数を計数することができる。
【００３１】
また、図８は包装硬貨処理部（トレー部及び装着検知）の構成図である。各金種別トレー２５をワゴン部に装着した場合に、トレー先端の傍らに位置する箇所にセンサ４２が配置される。センサ４２は、ワゴン部２２に設けられた上下方向の枠部４２ａに金種別トレー２５の通信部２５ａとの対応位置で上下方向に複数配置されている。このセンサ４２は、金種別トレー２５と通信することにより、トレーの装着および非装着の判断を行い、更に包装硬貨検知センサ４１の検知状態を検出することにより各金種別トレー２５に収納されている包装硬貨３０の本数及び金種を計数する。
【００３２】
また、包装硬貨部の制御部２７は、各金種別トレー２５の装着か非装着（抜取中）の状態、及び各金種別トレー２５に収納している包装硬貨３０の本数等をＲＡＭ２９に収納している。また、常にセンサ４２をセンシングすることにより、金種別トレー２５の抜取りが無いか、及び収納本数に変化がないかを監視しており、これらの状態が即時に検知できる構成としている。したがって、自動両替装置１は包装硬貨３０の収納本数や金種別トレー２５の装着状態等の状態を即時に検知できる。よって、従来の装置のように、装置内部に収納された包装硬貨さらには各トレー別に収納された包装硬貨の本数を計数する際に、装置の稼動を一旦中止し、計数し直すといった処理が不要であり、まして係員による補充した包装硬貨の装置への本数入力処理も行なう必要がない。本発明の構成により、保守員の手間も省け、現金補充時の装置休止が発生しない事から、利用客を待たせる事もなく、稼働率の向上が実現出来る。
【００３３】
次に自動両替装置の取引全体の処理について説明を行なう。  
図９は自動両替装置１の取引処理フローチャートである。利用客によってカードがカード挿入口６に挿入されて両替取引を開始されると、自動両替装置１の主制御部１７は、まずカード処理部１５に対してカード読取指令を行う（ステップｎ１）。  
カード処理部１５から通知されたカード情報が取扱可能なカードであった場合は、主制御部１７は次に紙幣処理部１１に対して両替元金の入金指令を行い（ステップｎ２）、包装硬貨処理部１２に対して、空トレーをのぞく金種別トレー２５を抜取禁止にする指令を行う（ステップｎ３）。
【００３４】
主制御部１７は、ステップｎ２において紙幣処理部１１から通知された両替元金の金額をタッチパネル２に通知し、両替設定の受付け指令を行い（ステップｎ４）、利用客によってタッチパネル２から入力された両替内容を受け取る。両替内容を受け取った主制御部１７は、利用客の両替内容に基づいて、紙幣処理部１１、包装硬貨処理部１２、硬貨処理部１３に対して両替金の放出指令を行うとともに、帳票処理部１６に対して取引明細票の印字指令を送る（ステップｎ５）。
【００３５】
両替金が全て正常に放出され、取引明細票も正常に印字されると、主制御部１７は、紙幣処理部１１、包装硬貨処理部１２、並びに硬貨処理部１３に対して両替金の取出待ち指令を行うとともに、帳票処理部１６に対して取引明細票の取出待ち指令を送る（ステップｎ６）。すべての両替金及び取引明細票が利用客によって取出されると、主制御部１７は紙幣処理部１１に対して両替元金の収納指令を行い、両替取引を終了する。
【００３６】
次に上記自動両替装置に内蔵された包装硬貨処理部１２の出金処理に関して図１０を用いて説明する。  
図１０は包装硬貨処理部の出金処理フローチャートである。包装硬貨処理部１２は主制御部１７から包装硬貨放出指令を受取ると（ステップｎ２１）、ＲＡＭ２９に保存されている各金種別トレー２５に収納されている包装硬貨３０の本数を読出し、どの金種別トレー２５から何本の包装硬貨３０を取出すかを決定する（ステップｎ２２）。なお、このとき抜取中でない金種別トレー２５から包装硬貨３０の本数を読出す。
【００３７】
そして、最初の取出予定の金種別トレー２５の位置にバケット２３を移動させ（ステップｎ２３）、当該の金種別トレー２５からステップｎ２２で決定した本数の包装硬貨３０をバケット２３で取出して集積する（ステップｎ２４）。
【００３８】
更に、取出予定の金種別トレー２５がある場合（ステップｎ２５：ＮＯ）、バケット２３を当該金種別トレー２５に移動させ（ステップｎ２６）、ステップｎ２４の処理に戻って、取出予定の全ての金種別トレー２５からの包装硬貨３０の取出しが完了するまで繰り返す。全ての包装硬貨３０の取出しが完了すると（ステップｎ２５：Ｙｅｓ）、バケット２３を包装硬貨取出口２４に移動して（ステップｎ２７）、包装硬貨処理部１２の放出処理を終了する。
【００３９】
次に、金種別トレー２５への補充を検知するトレー監視処理に関して図１１を用いて説明する。  
図１１は包装硬貨処理部１２におけるトレー監視の処理を示したフローチャートである。包装硬貨処理部１２は常にすべての金種別トレー２５の状態を監視している。包装硬貨放出装置１２は、ある金種別トレー２５の包装硬貨検知センサ４１の状態を、センサ４２を介して検出する（ステップｎ３１）。包装硬貨検知センサ４１の状態が検出できなければ（ステップｎ３２：Ｎｏ）、当該トレーが抜取られている、すなわち非装着状態であるとしてＲＡＭ２９に記憶する（ステップｎ３３）。当該金種別トレー２５が以前から抜取られた状態である場合は（ステップｎ３４：Ｎｏ）、次の金種別トレー２５のチェックに移り、以前は装着されていたが今回抜取られた場合は（ステップｎ３４：Ｙｅｓ）、抜取られる前の装着状態の際の収納本数をＲＡＭ２９に記憶し（ステップｎ３５）、次の金種別トレー２５のチェックに移る。
【００４０】
包装硬貨検知センサ４１の状態を検知した場合は（ステップｎ３２：Ｙｅｓ）、当該金種別トレー２５が装着されているとしてＲＡＭ２９に記憶する（ステップｎ３６）。当該金種別トレー２５が以前から装着されていた場合は（ステップｎ３７：Ｎｏ）、次の金種別トレー２５のチェックに移る。当該金種別トレー２５が以前は抜取られていたが今回装着された場合、すなわちトレーに対する所定の操作の１つであるトレーの装着があった場合は（ステップｎ３７：Ｙｅｓ）、センサ４２において収納されている包装硬貨３０の本数を計数し（ステップｎ３８）、抜取られる前の装着状態の際の収納本数としてＲＡＭ２９に記憶された収納本数と比較を行う。収納本数に変化が無い場合は（ステップｎ３９：Ｎｏ）、次の金種別トレー２５のチェックに移る。
【００４１】
収納本数に変化があった場合は（ステップｎ３９：Ｙｅｓ）、ＲＡＭ２９内に記憶している当該金種別トレー２５の収納本数を更新し、本数の増減を主制御部１７へ通知し（ステップｎ４０）、次の金種別トレー２５のチェックに移る。ここで、収納本数が増えた場合は包装硬貨３０の補充であり、収納本数が減った場合は包装硬貨３０を係員が取り出したことになる。
【００４２】
本実施例では、トレーの脱着をセンサ４２を介して検知したタイミングでリアルタイムにトレー内の本数チェックを実施した例で説明したが、補充実施完了後に一斉に各トレーの本数を計数する構成であってもよい。また、包装硬貨をトレーに収納するための出し入れ部に開閉扉５０が設けられたり、装置の内部と外部を遮断する遮蔽扉が設けられた自動両替装置において、上記開閉扉５０の開閉（特に扉の閉じる）タイミングで装置内部のトレー内の収納本数のチェックを実施してもよい。
【００４３】
また、金種別トレー２５の装着を検知せずとも、本数検知センサ４１ａが金種別トレー２５内に新たな包装硬貨３０を検出した場合、包装硬貨３０を計数する構成であってもよい。これにより、例えば、保安員金種別トレー２５を抜き取らずに包装硬貨３０を補充した場合であっても、リアルタイムに正確な収納本数のチェックすることができる。
【００４４】
次に、ステップｎ４０で、本数の増減を包装硬貨処理部１２から主制御部１７へ通知した場合（以下において「補充通知」という）の主制御部１７の処理を説明する。  
図１２は自動両替装置１における包装硬貨補充の処理を示したフローチャートである。主制御部１７は常に包装硬貨処理部１２からの補充通知の有無をチェックし、補充通知があると（ステップｎ４１）、係員パネル部１４に補充された金種、数量、金額、および補充された全金種のトータル金額、および補充終了のボタンを表示する（ステップｎ４２）。そして、主制御部１７は、係員パネル部１４の補充終了ボタンの押下、または包装硬貨処理部１２からの更なる補充通知を待つ（ステップｎ４３）。包装硬貨処理部１２から更なる補充通知があった場合は（ステップｎ４４：Ｙｅｓ）、ステップｎ４２に戻って、補充された金種、数量、金額、および補充された全金種のトータル金額の表示を更新する。包装硬貨処理部１２から更なる補充通知がなく、係員パネル部１４の補充終了のボタンが押下された場合は（ステップｎ４４：Ｎｏ）、包装硬貨３０の補充の履歴を主制御部１７のＲＡＭに記憶し（ステップｎ４５）、再度、補充通知の有無のチェックを開始する。
【００４５】
本実施例では、補充された包装硬貨の金種、数量、金額を係員パネル部の表示器を使用して表示したが、顧客操作案内画面である操作部と表示部とを兼ねるタッチパネル２であっても差し支えない。また、その他の表示が可能な表示器に表示する構成でも問題無い。また、表示内容においても、包装硬貨３０の補充量のみならず、金種別トレー２５に収納する包装硬貨３０の収納数であってもよい。さらには、各トレー毎に包装硬貨３０の金種、数量、金額を表示し、さらに装置全体として捉えた収納量であっても問題無い。また、数量のみの表示内容でなくても問題なく、管理者が本表示内容を見て、装置内部の包装硬貨の現金の有高状態が把握できる旨の案内表示であってもよい。
【図面の簡単な説明】
【００４６】
【図１】自動両替装置の斜視図。
【図２】自動両替装置の背面図。
【図３】自動両替装置のブロック図。
【図４】包装硬貨処理部の斜視図。
【図５】包装硬貨処理部の斜視図。
【図６】包装硬貨処理部（トレー部）の斜視図。
【図７】包装硬貨処理部（トレー部及び包装硬貨検知）の説明図。
【図８】包装硬貨処理部（トレー部及び装着検知）の構成図。
【図９】自動両替装置の取引処理フローチャート。
【図１０】包装硬貨処理部の出金処理フローチャート。
【図１１】包装硬貨処理部のトレー監視処理フローチャート。
【図１２】自動両替装置の包装硬貨補充処理フローチャート。
【符号の説明】
【００４７】
１…自動両替装置
１４…係員パネル部
２２…ワゴン部
２５…金種別トレー
３０…包装硬貨
４１…包装硬貨検知センサ
４２…トレー装着検知センサ兼包装硬貨本数計数センサ
５０…開閉扉
【図１】
2008192098.tif 000003
【図２】
2008192098.tif 000004
【図３】
2008192098.tif 000005
【図４】
2008192098.tif 000006
【図５】
2008192098.tif 000007
【図６】
2008192098.tif 000008
【図７】
2008192098.tif 000009
【図８】
2008192098.tif 000010
【図９】
2008192098.tif 000011
【図１０】
2008192098.tif 000012
【図１１】
2008192098.tif 000013
【図１２】
2008192098.tif 000014